(57)【要約】【目的】本発明は、極性反転信号を表示ドライバに伝送する配線に断線が生じても表示デバイスの焼き付きを防止することが可能な表示ドライバ及び表示装置を提供することを目的とする。【構成】映像信号に基づく各画素の輝度レベルに対応した電圧の極性を、伝送ラインを介して受けた正極性及び負極性を示す極性反転信号に応じて反転させた電圧を画素駆動電圧として生成する駆動電圧生成部と、映像信号におけるＮフレーム（Ｎは２以上の整数）の期間に亘り極性反転信号によって示される極性が一定となる場合に、伝送ラインの異常を示す異常検知信号を生成する極性反転異常検知部と、を有する。【選択図】図３
2018040963.tif 000002
【特許請求の範囲】
【請求項１】
映像信号に対応した画素駆動電圧を表示デバイスに供給する表示ドライバであって、
前記映像信号に基づく各画素の輝度レベルに対応した電圧の極性を、伝送ラインを介して受けた正極性及び負極性を示す極性反転信号に応じて反転させた電圧を前記画素駆動電圧として生成する駆動電圧生成部と、
前記映像信号におけるＮフレーム（Ｎは２以上の整数）の期間に亘り前記極性反転信号によって示される極性が一定となる場合に、前記伝送ラインの異常を示す異常検知信号を生成する極性反転異常検知部と、を有することを特徴とする表示ドライバ。
【請求項２】
前記極性反転信号は、論理レベル０及び論理レベル１の状態に交互にレベルが変化する２値信号であり、
前記極性反転異常検知部は、
前記極性反転信号の１フレーム期間毎のレベルを前記Ｎフレーム分記憶するレジスタと、
前記レジスタに記憶されている前記Ｎフレーム分の前記極性反転信号のレベルが全て前記論理レベル０又は前記論理レベル１である場合に前記異常検知信号を生成する異常判定部と、を含むことを特徴とする請求項１記載の表示ドライバ。
【請求項３】
映像信号に基づく画像を表示デバイスに表示させる表示装置であって、
表示ドライバと、
正極性及び負極性を示す極性反転信号を伝送ラインを介して前記表示ドライバに供給する制御部と、を有し、
前記表示ドライバは、
前記映像信号に基づく各画素の輝度レベルに対応した電圧の極性を、前記伝送ラインを介して受けた前記極性反転信号に応じて反転させた電圧を画素駆動電圧として前記表示デバイスに供給する駆動電圧生成部と、
前記映像信号におけるＮフレーム（Ｎは２以上の整数）の期間に亘り前記極性反転信号によって示される極性が一定となる場合に、前記伝送ラインの異常を示す異常検知信号を前記制御部に供給する極性反転異常検知部と、を含むことを特徴とする表示装置。
【請求項４】
前記制御部は、前記異常検知信号に応じてドライバ停止信号を前記表示ドライバに供給するドライバ停止制御部を含み、
前記表示ドライバは、前記ドライバ停止信号に応じて前記画素駆動電圧の前記表示デバイスへの供給を停止することを特徴とする請求項３記載の表示装置。
【請求項５】
前記極性反転信号は、論理レベル０及び論理レベル１の状態に交互にレベルが変化する２値信号であり、
前記極性反転異常検知部は、
前記極性反転信号の１フレーム期間毎のレベルを前記Ｎフレーム分記憶するレジスタと、
前記レジスタに記憶されている前記Ｎフレーム分の前記極性反転信号のレベルが全て前記論理レベル０又は前記論理レベル１である場合に前記異常検知信号を出力する異常判定部と、を含むことを特徴とする請求項３又は４に記載の表示装置。
【発明の詳細な説明】
【技術分野】
【０００１】
本発明は、映像信号に応じて表示デバイスを駆動する表示ドライバ、及びこの表示ドライバを含む表示装置に関する。
【背景技術】
【０００２】
液晶表示パネルを駆動するソースドライバは、当該液晶表示パネルの焼き付きを防止する為に、この液晶表示パネルに印加する電圧の極性を画素毎、又は表示ライン毎、或いは１フレーム期間毎に反転させている。ソースドライバは、制御部から供給された極性反転信号に応じてその極性を反転させた信号電圧を、液晶表示パネルのソース線に印加するようにしている（例えば特許文献１参照）。
【先行技術文献】
【特許文献】
【０００３】
【特許文献１】特開２００５−３０９２７４号公報
【発明の概要】
【発明が解決しようとする課題】
【０００４】
ところで、極性反転信号をソースドライバに伝送する配線に断線等の異常が生じると、ソースドライバ側において、液晶表示パネルのソース線に印加する信号電圧の極性が固定されてしまい、液晶表示パネルに焼き付きが生じるという問題があった。
【０００５】
そこで、本発明は、極性反転信号を表示ドライバに伝送する配線に断線等の異常が生じていても、表示デバイスの焼き付きを防止することが可能な表示ドライバ及び表示装置を提供することを目的とする。
【課題を解決するための手段】
【０００６】
本発明に係る表示ドライバは、映像信号に対応した画素駆動電圧を表示デバイスに供給する表示ドライバであって、前記映像信号に基づく各画素の輝度レベルに対応した電圧の極性を、伝送ラインを介して受けた正極性及び負極性を示す極性反転信号に応じて反転させた電圧を前記画素駆動電圧として生成する駆動電圧生成部と、前記映像信号におけるＮフレーム（Ｎは２以上の整数）の期間に亘り前記極性反転信号によって示される極性が一定となる場合に、前記伝送ラインの異常を示す異常検知信号を生成する極性反転異常検知部と、を有する。
【０００７】
また、本発明に係る表示装置は、映像信号に基づく画像を表示デバイスに表示させる表示装置であって、前記表示ドライバと、正極性及び負極性を示す極性反転信号を伝送ラインを介して前記表示ドライバに供給する制御部と、を有し、前記表示ドライバは、前記映像信号に基づく各画素の輝度レベルに対応した電圧の極性を、前記伝送ラインを介して受けた前記極性反転信号に応じて反転させた電圧を画素駆動電圧として前記表示デバイスに供給する駆動電圧生成部と、前記映像信号におけるＮフレーム（Ｎは２以上の整数）の期間に亘り前記極性反転信号によって示される極性が一定となる場合に、前記伝送ラインの異常を示す異常検知信号を前記制御部に供給する極性反転異常検知部と、を含む。
【発明の効果】
【０００８】
本発明は、制御部から供給された極性反転信号がＮフレーム期間に亘り一定の極性を示すときに、極性反転信号を伝送するラインに異常が生じていると判断し、その旨を通知する異常検知信号を生成する。これにより、当該異常検知信号を受けた制御部が、表示デバイスへの画素駆動電圧の供給を停止させる制御を表示ドライバに施すことにより、表示デバイスの焼き付きを事前に防止することが可能となる。
【図面の簡単な説明】
【０００９】
【図１】本発明に係る表示ドライバ及を含む表示装置１００の構成を示すブロック図である。
【図２】フレーム開始信号ＳＴＶ、ライン開始信号ＬＳ、及び極性反転信号ＰＯＬの波形の一例を示すタイムチャートである。
【図３】ソースドライバ１３の内部構成を示すブロック図である。
【図４】極性反転異常検知回路１４０の構成の一例を示す回路図である。
【図５】極性反転異常検知回路１４０の動作を説明する為の第１のタイムチャートである。
【図６】極性反転異常検知回路１４０の動作を説明する為の第２のタイムチャートである。
【図７】極性反転異常検知回路１４０の動作を説明する為の第３のタイムチャートである。
【発明を実施するための形態】
【００１０】
以下、本発明の実施例を図面を参照しつつ詳細に説明する。
【００１１】
図１は、本発明に係る表示ドライバとしてのソースドライバ１３を含む表示装置１００の構成を示すブロック図である。図１に示すように表示装置１００は、制御部１１、走査ドライバ１２、ソースドライバ１３及び表示デバイス２０を有する。
【００１２】
表示デバイス２０は、例えば液晶表示パネル又は有機ＥＬ（electro luminescence）パネル等からなる画像表示デバイスである。表示デバイス２０には、２次元画面の水平方向に伸張するｍ個（ｍは２以上の自然数）の水平走査ラインＳ1〜Ｓmと、２次元画面の垂直方向に伸張するｎ個（ｎは２以上の自然数）のソースラインＤ1〜Ｄnとが形成されている。水平走査ライン及びソースラインの各交叉部の領域、つまり図１において破線にて囲まれた領域には、画素を担う表示セルが形成されている。
【００１３】
制御部１１は、入力映像信号ＶＳに基づき各画素の輝度レベルを例えば６ビットの輝度階調で表す画素データＰＤの系列を生成し、この画素データＰＤの系列を含む映像データ信号ＶＤをソースドライバ１３に供給する。また、制御部１１は、各水平走査ラインに対応したｎ個の画素データＰＤの系列の先頭位置を示すライン開始信号ＬＳ、及びフレームの先頭位置を示すフレーム開始信号ＳＴＶをソースドライバ１３に供給する。
【００１４】
更に、制御部１１は、負極性を示す状態及び正極性を示す状態が交互に変化する２値の極性反転信号ＰＯＬを伝送ラインＬＬを介してソースドライバ１３に供給する。
【００１５】
図２は、上記したフレーム開始信号ＳＴＶ、ライン開始信号ＬＳ、及び極性反転信号ＰＯＬの波形の一例を示すタイムチャートである。図２に示すように、フレーム開始信号ＳＴＶは、各フレームの先頭部において所定の期間だけ論理レベル１となり、他の期間は論理レベル０の状態を維持する２値信号である。ライン開始信号ＬＳは、１水平走査期間Ｈ毎に、その先頭部において所定の期間だけ論理レベル１となり、他の期間は論理レベル０の状態を維持する２値信号である。
【００１６】
また、極性反転信号ＰＯＬは、１フレーム毎に少なくとも１度、負極性（又は正極性）を表す論理レベル０の状態から正極性（又は負極性）を表す論理レベル１の状態、或いは正極性（又は負極性）を表す論理レベル１の状態から負極性（又は正極性）を表す論理レベル０の状態に遷移する２値の信号である。尚、図２に示す一例では、極性反転信号ＰＯＬは、ライン開始信号ＬＳの最初の立ち下がりエッジの時点から２水平走査期間の間は、１水平走査期間毎に交互に論理レベル０から論理レベル１、又は論理レベル１から論理レベル０の状態に遷移し、その後は、次のフレームの先頭部まで論理レベル０（又は論理レベル１）の状態を維持する。
【００１７】
また、制御部１１は、データトライバ１３から異常検知信号ＥＲＲが供給された場合には、ソースドライバ１３の動作を停止させるドライバ停止信号ＳＴＯＰをソースドライバ１３に供給するドライバ停止制御部を含む。
【００１８】
更に、制御部１１は、入力映像信号ＶＳから水平同期信号を検出しこれを走査ドライバ１２に供給する。
【００１９】
走査ドライバ１２は、制御部１１から供給された水平同期信号に同期させて、水平走査パルスを生成し、これを表示デバイス２０の走査ラインＳ1〜Ｓm各々に順次、択一的に印加する。
【００２０】
ソースドライバ１３は、映像データ信号ＶＤ、ライン開始信号ＬＳ、フレーム開始信号ＳＴＶ、及び極性反転信号ＰＯＬに基づき、１水平走査ライン毎にｎ個の画像駆動電圧Ｇ1〜Ｇnを生成し、表示デバイス２０のソースラインＤ1〜Ｄnに印加する。また、ソースドライバ１３は、ライン開始信号ＬＳ、フレーム開始信号ＳＴＶ、及び極性反転信号ＰＯＬに基づき、極性反転信号ＰＯＬを伝送する伝送ラインＬＬに断線等の異常が生じているか否かを表す異常検知信号ＥＲＲを生成し、制御部１１に供給する。更に、ソースドライバ１３は、制御部１１からドライバ停止信号ＳＴＯＰが供給された場合には、表示デバイス２０への画素駆動電圧Ｇ1〜Ｇnの供給動作を停止する。
【００２１】
図３は、ソースドライバ１３の内部構成を示すブロック図である。図３に示すように、ソースドライバ１３は、ラッチ部１３１、階調電圧変換部１３２、出力部１３３及び極性反転異常検知回路１４０を含む。
【００２２】
ラッチ部１３１は、制御部１１から供給された映像データ信号ＶＤに含まれる画素データＰＤの系列を順次取り込む。ラッチ部１３１は、ライン開始信号ＬＳに応じて１水平走査ライン分（ｎ個）の画素データＰＤの取り込みが為される度に、ｎ個の画素データＰＤを画素データＱ1〜Ｑnとして階調電圧変換部１３２に供給する。
【００２３】
階調電圧変換部１３２は、画素データＱ1〜Ｑnの各々を、その画素データＱによって表される輝度レベルに対応した大きさの電圧値を有する正極性及び負極性の階調電圧Ａ1〜Ａnに変換する。階調電圧変換部１３２は、例えば論理レベル０を有する極性反転信号ＰＯＬが供給されている間は正極性の電圧値を有する階調電圧Ａ1〜Ａnを出力部１３３に供給する一方、論理レベル１を有する極性反転信号ＰＯＬが供給されている間は負極性の電圧値を有する階調電圧Ａ1〜Ａnを出力部１３３に供給する。
【００２４】
出力部１３３は、階調電圧Ａ1〜Ａnを夫々個別に利得１で増幅した電圧を画素駆動電圧Ｇ1〜Ｇnとして生成して、表示デバイス２０のソースラインＤ1〜Ｄnに夫々供給する。尚、出力部１３３は、制御部１１から例えば論理レベル１を有するドライバ停止信号ＳＴＯＰが供給された場合には、表示デバイス２０への画素駆動電圧Ｇ1〜Ｇnの供給動作を停止することにより、表示デバイス２０の表示動作を停止させる。
【００２５】
極性反転異常検知回路１４０は、ライン開始信号ＬＳ、フレーム開始信号ＳＴＶ、及び極性反転信号ＰＯＬに基づき、極性反転信号ＰＯＬを伝送する伝送ラインＬＬに断線などの接続異常が生じているか否かを検出し、異常が生じている場合には論理レベル１、異常が生じていない場合には論理レベル０を有する異常検知信号ＥＲＲを制御部１１に供給する。
【００２６】
図４は、極性反転異常検知回路１４０の構成の一例を示す回路図である。図４に示すように、極性反転異常検知回路１４０は、シフトレジスタ部１４１及び異常判定部１４２を含む。
【００２７】
シフトレジスタ部１４１は、夫々のクロック入力端子でライン開始信号ＬＳを受けるフリップフロップＦ１〜Ｆ８と、フリップフロップＦ１〜Ｆ８各々の前段に設けられたセレクタＳ１〜Ｓ８と、を含む。
【００２８】
セレクタＳ１は、フレーム開始信号ＳＴＶが論理レベル１を表している間は極性反転信号ＰＯＬをフリップフロップＦ１のデータ入力端子に供給する一方、フレーム開始信号ＳＴＶが論理レベル０を表している間はフリップフロップＦ１のデータ出力端子から出力された信号を、このフリップフロップＦ１のデータ入力端子に供給する。
【００２９】
フリップフロップＦ１は、セレクタＳ１から供給された信号を、ライン開始信号ＬＳの立ち上がりエッジ部のタイミングで取り込んで保持する。そして、フリップフロップＦ１は、その保持した信号を極性反転信号ＰＬ１とし、これをデータ出力端子を介して次段のセレクタＳ２及び異常判定部１４２に供給する。
【００３０】
セレクタＳ（ｋ）（ｋは２〜８の整数）は、フレーム開始信号ＳＴＶが論理レベル１を表している間は、前段のフリップフロップＦ（ｋ−１）から出力された極性反転信号ＰＬ（ｋ−１）を次段のフリップフロップＦ（ｋ）のデータ入力端子に供給する。一方、フレーム開始信号ＳＴＶが論理レベル０を表している間は、セレクタＳ（ｋ）は、フリップフロップＦ（ｋ）のデータ出力端子から出力された信号を、このフリップフロップＦ（ｋ）のデータ入力端子に供給する。
【００３１】
フリップフロップＦ（ｋ）は、セレクタＳ（ｋ）から供給された信号を、ライン開始信号ＬＳの立ち上がりエッジ部のタイミングで取り込んで保持する。そして、フリップフロップＦ（ｋ）は、その保持した信号を極性反転信号ＰＬ（ｋ）とし、これをデータ出力端子を介して出力する。尚、フリップフロップＦ（ｋ）から出力された極性反転信号ＰＬ（ｋ）、つまり極性反転信号ＰＬ２〜ＰＬ８は、異常判定部１４２に供給される。
【００３２】
上記した構成により、シフトレジスタ部１４１は、フレーム開始信号ＳＴＶが論理レベル１である間だけ、ライン開始信号ＬＳの立ち上がりエッジのタイミングで、極性反転信号ＰＯＬを初段のフリップフロップＦ１に取り込み、これをライン開始信号ＬＳの立ち上がりエッジのタイミングで順次フリップフロップＦ２〜Ｆ８へとシフトさせてゆく。すなわち、シフトレジスタ部１４１では、例えば、図２に示すように、フレーム開始信号ＳＴＶが論理レベル１となっている期間内に含まれる、ライン開始信号ＬＳの立ち上がりエッジのタイミング（三角印にて示す）で、フリップフロップＦ１が極性反転信号ＰＯＬの値（丸印にて示す）を取り込む。そして、フレーム開始信号ＳＴＶが論理レベル１となっている期間内においてフリップフロップＦ１に取り込まれた極性反転信号ＰＯＬの値が、ライン開始信号ＬＳの立ち上がりエッジのタイミング（三角印にて示す）毎に、フリップフロップＦ２、Ｆ３、Ｆ４、・・・、Ｆ８の順にシフトしつつ各フリップフロップに取り込まれる。この際、フリップフロップＦ１〜Ｆ８から夫々出力された信号、つまり、連続する８つのフレームの各々で取り込まれて記憶された、各フレームに対応した極性反転信号ＰＯＬの値が、極性反転信号ＰＬ１２〜ＰＬ８としてパラレルの形態で異常判定部１４２に供給されるのである。
【００３３】
異常判定部１４２は、アンドゲート回路ＡＮＧ、ノアゲート回路ＮＲＧ及びオアゲートＯＲＧを有する。
【００３４】
アンドゲート回路ＡＮＧは、極性反転信号ＰＬ１〜ＰＬ８が全て論理レベル１となる場合には異常が生じていることを表す論理レベル１の異常検知信号ｅ１をオアゲートＯＲＧに供給する。一方、極性反転信号ＰＬ１〜ＰＬ８のうちの少なくとも１つが論理レベル０となる場合には、アンドゲート回路ＡＮＧは、異常が生じていないことを表す論理レベル０の異常検知信号ｅ１をオアゲートＯＲＧに供給する。
【００３５】
ノアゲート回路ＮＲＧは、極性反転信号ＰＬ１〜ＰＬ８が全て論理レベル０となる場合には異常が生じていることを表す論理レベル１の異常検知信号ｅ２をオアゲートＯＲＧに供給する。一方、極性反転信号ＰＬ１〜ＰＬ８のうちの少なくとも１つが論理レベル１となる場合には、ノアゲート回路ＮＲＧは、異常が生じていないことを表す論理レベル０の異常検知信号ｅ２をオアゲートＯＲＧに供給する。
【００３６】
オアゲートＯＲＧは、異常検知信号ｅ１及びｅ２のうちのいずれか一方、或いは双方共に、異常が生じていることを表す論理レベル１となる場合に、極性反転信号ＰＯＬを伝送する伝送ラインＬＬに異常が生じていることを示す論理レベル１の異常検知信号ＥＲＲを制御部１１に供給する。また、オアゲートＯＲＧは、異常検知信号ｅ１及びｅ２が共に異常が生じていないことを表す論理レベル０となる場合には、伝送ラインＬＬに異常が生じていないことを示す論理レベル０の異常検知信号ＥＲＲを制御部１１に供給する。
【００３７】
かかる構成により異常判定部１４２は、シフトレジスタ部１４１が連続する８つのフレームの各々で取り込んで記憶したフレーム毎の極性反転信号ＰＯＬの値（ＰＬ１〜ＰＬ８）が全て論理レベル０又は１となる場合に、伝送ラインＬＬに異常が生じていると判定し、その旨を知らせる論理レベル１の異常検知信号ＥＲＲを制御部１１に供給する。
【００３８】
以下に、図４に示す極性反転異常検知回路１４０の動作について、図５〜図７に示すタイムチャートを参照しつつ説明する。
【００３９】
尚、制御部１１は、例えば図５に示すように、連続するフレームＦＭ１〜ＦＭ１０のうちの奇数番目の各フレームＦＭと、偶数番目の各フレームＦＭとで、画素駆動電圧Ｇ1〜Ｇnの極性を反転させる極性反転信号ＰＯＬを、伝送ラインＬＬを介してソースドライバ１３に供給するものとする。ここで、図５に示す一例において、極性反転信号ＰＯＬは、奇数番目の各フレームＦＭ内におけるライン開始信号ＬＳの最初の立ち上がりエッジの時点（三角印にて示す）では、負極性を表す論理レベル０の状態を有する。また、極性反転信号ＰＯＬは、偶数番目の各フレームＦＭ内におけるライン開始信号ＬＳの最初の立ち上がりエッジの時点（三角印にて示す）では、正極性を表す論理レベル１の状態を有する。
【００４０】
従って、図５に示すように、極性反転信号ＰＯＬが伝送ラインＬＬを介して正常にソースドライバ１３に供給された場合には、フレーム毎に極性反転信号ＰＯＬの値が反転する。よって、連続する８つのフレームの各々で取り込んだ極性反転信号ＰＯＬの値、つまり極性反転信号ＰＬ１〜ＰＬ８が全て論理レベル０又は１になることはない。これにより、極性反転異常検知回路１４０は、図５に示すように、異常が生じていないことを示す論理レベル０固定の異常検知信号ＥＲＲを制御部１１に供給する。
【００４１】
一方、図６に示すように、フレームＦＭ２にて伝送ラインＬＬが断線し、それ故、ソースドライバ１３が受ける極性反転信号ＰＯＬが、図６に示すように論理レベル０固定となってしまった場合には、その後の８つのフレームＦＭ３〜ＦＭ１０の各々で取り込んだ極性反転信号ＰＯＬの値、つまり極性反転信号ＰＬ１〜ＰＬ８は全て論理レベル０となる。これにより、連続する８つのフレームＦＭ３〜ＦＭ１０のうちの最終のフレームＦＭ１０で極性反転信号ＰＯＬの値（論理レベル０）を取り込んだ時点で、極性反転異常検知回路１４０は、異常検知信号ＥＲＲを異常が生じていないことを示す論理レベル０の状態から異常が生じていることを示す論理レベル１の状態に切り替える。そして、極性反転異常検知回路１４０は、異常が生じていることを示す論理レベル１の異常検知信号ＥＲＲを制御部１１に供給する。かかる論理レベル１の異常検知信号ＥＲＲに応じて、制御部１１のドライバ停止制御部はドライバ停止信号ＳＴＯＰをソースドライバ１３に供給する。かかるドライバ停止信号ＳＴＯＰに応じて、ソースドライバ１３は表示デバイス２０への画素駆動電圧Ｇ1〜Ｇnの供給動作を停止し、これにより、表示デバイス２０の表示動作を停止させる。
【００４２】
また、図７に示すように、フレームＦＭ２にて伝送ラインＬＬが断線し、それに伴いソースドライバ１３が受ける極性反転信号ＰＯＬが、図７に示すように論理レベル１固定となってしまった場合には、フレームＦＭ２を含む、連続した８つのフレームＦＭ２〜ＦＭ９の各々で取り込んだ極性反転信号ＰＯＬの値、つまり極性反転信号ＰＬ１〜ＰＬ８は全て論理レベル１となる。これにより、連続する８つのフレームＦＭ２〜ＦＭ９のうちの最終のフレームＦＭ９で極性反転信号ＰＯＬの値（論理レベル１）を取り込んだ時点で、極性反転異常検知回路１４０は、異常検知信号ＥＲＲを異常が生じていないことを示す論理レベル０の状態から異常が生じていることを示す論理レベル１の状態に切り替える。そして、極性反転異常検知回路１４０は、異常が生じていることを示す論理レベル１の異常検知信号ＥＲＲを制御部１１に供給する。かかる論理レベル１の異常検知信号ＥＲＲに応じて、制御部１１のドライバ停止制御部はドライバ停止信号ＳＴＯＰをソースドライバ１３に供給する。かかるドライバ停止信号ＳＴＯＰに応じて、ソースドライバ１３は画素駆動電圧Ｇ1〜Ｇnの生成、及び動作を停止する。これにより、表示デバイス２０が表示動作を停止する。
【００４３】
このように、極性反転異常検知回路１４０は、制御部１１から伝送ラインＬＬを介して受けた極性反転信号ＰＯＬの信号レベルが８フレーム期間に亘って一定、つまり論理レベル０（図６）又は論理レベル１（図７）に固定されていた場合に、伝送ラインＬＬに異常が生じていると判断する。そして、この際、極性反転異常検知回路１４０は、伝送ラインＬＬに異常が生じていることを示す論理レベル１の異常検知信号ＥＲＲを制御部１１に供給する。かかる論理レベル１の異常検知信号ＥＲＲに応じて、制御部１１は、表示デバイス２０への画素駆動電圧Ｇ1〜Ｇnの供給動作を停止する。これにより、表示デバイス２０の表示動作が停止するので、極性反転信号ＰＯＬをソースドライバ１３に伝送する伝送ラインＬＬに断線等の接続不良が生じていても、事前に、表示デバイス２０の焼き付きを防止することが可能となる。
【００４４】
尚、上記実施例では、極性反転異常検知回路１４０は、極性反転信号ＰＯＬの信号レベルが８フレーム期間に亘って固定された場合に伝送ラインＬＬに断線などの異常が生じていると判断しているが、異常と判断する極性反転信号ＰＯＬのレベル一定期間は８フレーム期間に限定されない。
【００４５】
例えば、仕様上において極性反転信号ＰＯＬの変化周期が１９フレーム期間である場合には、極性反転異常検知回路１４０は、極性反転信号ＰＯＬの信号レベルが２０フレーム期間に亘って論理レベル０又は１に固定されたときに異常が生じていると判断するようにしても良い。この際、極性反転異常検知回路１４０のシフトレジスタ部１４１のフリップフロップＦ及びセレクタＳの段数は２０段となり、異常判定部１４２のアンドゲート回路ＡＮＧ及びノアゲート回路ＮＲＧ各々の入力信号の本数も２０個となる。
【００４６】
また、仕様上において極性反転信号ＰＯＬの変化周期が１フレーム期間である場合には、極性反転異常検知回路１４０は、極性反転信号ＰＯＬの信号レベルが２フレーム期間に亘って論理レベル０又は１に固定されたときに異常が生じていると判断するようにしても良い。この際、極性反転異常検知回路１４０のシフトレジスタ部１４１のフリップフロップＦ３〜Ｆ８及びセレクタＳ３〜Ｓ８が不要となる。更に、異常判定部１４２のアンドゲート回路ＡＮＧとして、極性反転信号ＰＬ１及びＰＬ２を受ける２入力のアンドゲートを採用すると共に、ノアゲート回路ＮＲＧとして、極性反転信号ＰＬ１及びＰＬ２を受ける２入力のノアゲートを採用する。つまり、仕様上において規定されている極性反転信号ＰＯＬの変化周期により、シフトレジスタ部１４１のフリップフロップＦ及びセレクタＳの段数、並びにアンドゲート回路ＡＮＧ及びノアゲート回路ＮＲＧ各々の入力信号の本数が決定する。
【００４７】
また、上記実施例において極性反転異常検知回路１４０では、伝送ラインＬＬを介して受けた極性反転信号ＰＯＬ自体を用いて伝送ラインＬＬの断線を検知するようにしているが、階調電圧変換部１３２の内部に取り込まれている、極性反転信号ＰＯＬに対応した信号を用いて伝送ラインＬＬの異常を検知するようにしても良い。
【００４８】
また、上記実施例において極性反転異常検知回路１４０の異常判定部１４２では、アンドゲート回路ＡＮＧを用いることにより、複数の極性反転信号（ＰＬ１〜ＰＬ８）が論理レベル１となったことを検出しているが、複数の極性反転信号が論理レベル１となったことを検出できるものであれば、どのような回路を採用しても良い。同様に、当該異常判定部１４２では、ノアゲート回路ＮＲＧを用いることにより、複数の極性反転信号（ＰＬ１〜ＰＬ８）が論理レベル０となったことを検出しているが、複数の極性反転信号が論理レベル０となったことを検出できるものであれば、どのような回路を採用しても良い。例えば、アンドゲート回路ＡＮＧ及びノアゲート回路に代えて、コンパレータを採用しても良い。
【００４９】
要するに、本発明に係る表示ドライバとしては、以下の駆動電圧生成部及び極性反転異常検知部を備えたものであれば良いのである。つまり、駆動電圧生成部（１３２、１３３）は、映像信号（ＶＳ）に基づく各画素の輝度レベルに対応した電圧の極性を、伝送ライン（ＬＬ）を介して受けた極性反転信号（ＰＯＬ）に応じて反転させた電圧を画素駆動電圧（Ｇ1〜Ｇn）として生成し、これを表示デバイス（２０）に供給する。極性反転異常検知部（１４０）は、映像信号におけるＮフレーム（Ｎは２以上の整数）の期間に亘り極性反転信号によって示される極性が一定となる場合に、伝送ラインの異常を示す異常検知信号（ＥＲＲ）を生成するのである。よって、かかる構成によれば、異常検知信号に応じて表示ドライバの動作を強制的に停止させることにより、極性反転信号（ＰＯＬ）を伝送する伝送ラインに断線などの異常が生じていても、表示デバイスの焼き付きを事前に防止することが可能となる。
【符号の説明】
【００５０】
１１                制御部
１３                ソースドライバ
２０                表示デバイス
１４０              極性反転異常検知回路
１４１              レジスタ
１４２              異常判定部
【図１】
2018040963.tif 000003
【図２】
2018040963.tif 000004
【図３】
2018040963.tif 000005
【図４】
2018040963.tif 000006
【図５】
2018040963.tif 000007
【図６】
2018040963.tif 000008
【図７】
2018040963.tif 000009